(57)【要約】      （修正有）【課題】照明器具へ適用する圧電式点灯回路を提供する。【解決手段】室内外の空間照明に使用する蛍光灯、電球、ネオン灯などの照明用器具に適用され、主に従来の照明器具が採用する巻線式コイル変圧器、及び電子安定器による、短寿命、大きな体積、高いコスト、温度上昇による過熱、及び低い照明程度などの欠点に取って代わり、急速に昇圧できる特性を有する圧電変圧器を採用し、長寿命、小体積、低コスト、低い温度上昇、及び高照明程度などを効果的に達成する。【選択図】図２
0003119102.tif 000002
【実用新案登録請求の範囲】
【請求項１】
圧電変圧器を電力変圧の動力源として、後続の照明器具を駆動する照明器具へ適用する圧電式点灯回路は整流回路、ドライバIC、電力開閉回路、及び圧電変圧器を包括することであり、該整流回路は外部の交流電力を受けいれ、並びに直流電力を出力するために用い、該直流電力は抵抗回路を経て低圧直流電力、及び高圧直流電力を発生し、該ドライバICは低圧直流電力により駆動され、該ドライバICは該圧電変圧器の共振周波数に対応する、開閉信号を出力する周波数発生回路、及びその開閉信号を受けて、ハイレベル信号及びローレベル信号を出力し、信号のレベル調整を提供する信号調整回路を包括し、該電力開閉回路は該ハイレベル信号及びローレベル信号の交互に駆動することにより、該高圧直流電力が該圧電変圧器に進入する開閉タイミングを決定し、該圧電変圧器は該高圧直流電力を受け、並びに後続の照明器具が必要とする高圧電力に昇圧することを特徴とする照明器具へ適用する圧電式点灯回路。
【請求項２】
請求項１記載の照明器具へ適用する圧電式点灯回路において、該周波数発生回路がRC周波数発生回路であることを特徴とする照明器具へ適用する圧電式点灯回路。
【請求項３】
請求項１記載の照明器具へ適用する圧電式点灯回路において、その信号調製回路がトーテムポール(TOTEM POLE)位相調整回路であることを特徴とする照明器具へ適用する圧電式点灯回路。
【請求項４】
請求項１記載の照明器具へ適用する圧電式点灯回路において、その電力開閉回路が効率トランジスタ回路(MOSFET)であることを特徴とする照明器具へ適用する圧電式点灯回路。
【考案の詳細な説明】
【技術分野】
【０００１】
本考案は室内外の空間照明に使用する蛍光灯、電球、ネオン灯などの照明用器具に適用される圧電式点灯回路に関するものであり、特に圧電変圧器の高昇圧比特性が効果的に運用されて、長寿命、小体積、低コスト、低温度上昇、及び高照明度などの効果を達成するものを指す。
【背景技術】
【０００２】
現在、室内外の空間照明に使用する蛍光灯、電球、ネオン灯などの照明用器具に適用される点灯回路の多くには、巻線式コイル変圧器、及び電子安定器が採用され、その体積には限度があり、巻線式コイル変圧器の巻線回数は大きく制限を受ける。さらにこの種の点灯回路は、全てパワーファクターコレクターが取り付けられていないため、ライト点灯光度は制限を受ける。更に大きな照明程度を達成するには、照明器具のサイズを大きくし、巻線式コイル変圧器を収納するためのより大きなスペースが必要となる。但し、これは、照明器具が、効率損失の過度により高熱を発生して寿命を減少させる。且つ、サイズが大きな照明器具は、多くのライトスタンドの環境(例えば、密閉式壁用ライト或いは天井用ライト)に適用する事ができない。しかも、現在のライトの照明程度も、提供すべき光度に足りず、こういう苦境も、室内外全てに適用できる照明器具がないという欠点となっている。
【考案の開示】
【考案が解決しようとする課題】
【０００３】
本考案の主要目的は、上記の欠点を解決し、欠点の存在を回避することである。本考案は、室内外の空間照明に使用する蛍光灯、電球、ネオン灯などの照明用器具に適用される。本考案は、主に従来の照明器具が採用する巻線式コイル変圧器、及び電子安定器による、短寿命、大きな体積、高いコスト、温度上昇による過熱、及び低い照明程度などの欠点に取って代わり、急速に昇圧できる特性を有する圧電変圧器を採用し、長寿命、小体積、低コスト、低い温度上昇、及び高照明程度などを効果的に達成する。
【課題を解決するための手段】
【０００４】
請求項１の考案は、圧電変圧器を電力変圧の動力源として、後続の照明器具を駆動する照明器具へ適用する圧電式点灯回路は整流回路、ドライバIC、電力開閉回路、及び圧電変圧器を包括することであり、該整流回路は外部の交流電力を受けいれ、並びに直流電力を出力するために用い、該直流電力は抵抗回路を経て低圧直流電力、及び高圧直流電力を発生し、該ドライバICは低圧直流電力により駆動され、該ドライバICは該圧電変圧器の共振周波数に対応する、開閉信号を出力する周波数発生回路、及びその開閉信号を受けて、ハイレベル信号及びローレベル信号を出力し、信号のレベル調整を提供する信号調整回路を包括し、該電力開閉回路は該ハイレベル信号及びローレベル信号の交互に駆動することにより、該高圧直流電力が該圧電変圧器に進入する開閉タイミングを決定し、該圧電変圧器は該高圧直流電力を受け、並びに後続の照明器具が必要とする高圧電力に昇圧することを特徴とする照明器具へ適用する圧電式点灯回路としている。
請求項２の考案は、請求項１記載の照明器具へ適用する圧電式点灯回路において、該周波数発生回路がRC周波数発生回路であることを特徴とする照明器具へ適用する圧電式点灯回路としている。
請求項３の考案は、請求項１記載の照明器具へ適用する圧電式点灯回路において、その信号調製回路がトーテムポール(TOTEM POLE)位相調整回路であることを特徴とする照明器具へ適用する圧電式点灯回路としている。
請求項４の考案は、請求項１記載の照明器具へ適用する圧電式点灯回路において、その電力開閉回路が効率トランジスタ回路(MOSFET)であることを特徴とする照明器具へ適用する圧電式点灯回路としている。
【考案の効果】
【０００５】
本考案は、急速に昇圧できる特性を有する圧電変圧器を採用し、長寿命、小体積、低コスト、低い温度上昇、及び高照明程度などを効果的に達成する。
【考案を実施するための最良の形態】
【０００６】
図１、図２の説明は、本考案が実施する回路説明図である。
図に示すように、本考案は、照明器具30へ適用する圧電式点灯回路20の一種であり、それは圧電変圧器24を電力変圧の動力源として、後続の照明器具30を駆動する。該圧電式点灯回路20は、主に整流回路21を一つ有し、その整流回路21は外部交流電力10を接収し、転換すると共に、直流電力を出力するのに用いる。その圧電式点灯回路20においては、直接に交流電力を接収し、転換すると共に、全てのパーツをその照明器具30内部に整合する。そのため、その直流電力は高圧直流電力DC1、及び抵抗回路211に分かれて流れ、低圧直流電力DC2を発生し、ドライバIC22の使用に提供する。該ドライバIC22は、該低圧直流電力DC2を受けて駆動し、且つそのドライバIC22は、該圧電変圧器24の共振周波数に対応して、開閉信号を出力する周波数発生回路221、及びその開閉信号を受けて、信号のレベル調整を提供し、ハイレベル信号S1とローレベル信号S2を出力する信号調整回路222を包括する。周波数発生回路221は、パルス幅調整信号を出力する事ができるRC周波数発生回路であり、該号調整回路222はトーテムポール(TOTEM POLE)位相調製回路とすることができる。その出力するハイレベル信号S1、及びローレベル信号S2は、浮動レベルモードとし、遅延時間差を有し、この信号が後続の電力開閉回路23への駆動を産生すると、該電力開閉回路23は効率トランジスタ回路(MOSFET)として、該電力開閉回路23がハイレベル信号S1、及びローレベル信号S2を受け、その遅延時間差を交互に駆動させて、該高圧直流電力DC1がその圧電変圧器24に進入する開閉タイミングを決定する。そして、該圧電変圧器24はその高圧直流電力DC1を接収した後、その振動周波数に基づき、後続の照明器具30が必要とする高圧電力に転換昇圧することができる。
【０００７】
本考案は完全な実施回路を提供し、必要パーツは、ドライバIC22一つ、電力開閉回路23一つ、圧電変圧器24一つにより、従来の電子安定器及び巻線式変圧器に取って代わることができる。相対的に、体積及び製作コストを縮小する事ができる。しかも圧電変圧器24本体に高い昇圧比、及び低い温度上昇効果などの特性があるため、さらに本考案の圧電式点灯回路20を取りつけた照明器具30は、その本来の寿命をさらに維持することができる。このほか、照明器具30はガス放電灯に変更することができ、同じサイズ規格の場合、本考案の圧電式点灯回路20の高圧電力が駆動するもとで、その高い光度の照明効果をより発揮することができる。
【図面の簡単な説明】
【０００８】
【図１】本考案の実施回路の説明図である。
【図２】本考案の実施回路の説明図である。
【符号の説明】
【０００９】
10  外部交流電力  
20  圧電式点灯回路  
30  照明器具
21  整流回路
211   抵抗回路
221   周波数発生回器  
222   信号調整回路  
23  電力開閉回路  
24  圧電変圧器
DC1   高圧直流電力
DC2   低圧直流電力
S1  ハイレベル信号
S2  ローレベル信号
【図１】
0003119102.tif 000003
【図２】
0003119102.tif 000004